(57)【要約】【課題】弱い力でもゴルフボールを確保でき、ボール回収部をゆする等により、泥等の異物を除去できる。【解決手段】操作棹と、操作棹の長手方向一方側の端部に嵌入され、操作棹に嵌入される部分が狭窄された雫状に形成されると共に、弾性変形可能に構成され、且つゴルフボールを内部に挿入させるための挿入部を有するボール回収部と、を備える。【選択図】図１
2019195396.tif 000002
【特許請求の範囲】
【請求項１】
操作棹と、
前記操作棹の長手方向一方側の端部に嵌入され、前記操作棹に嵌入される部分が狭窄された雫状に形成されると共に、弾性変形可能に構成され、且つゴルフボールを内部に挿入させるための挿入部を有するボール回収部と、
を備えたことを特徴とするボール回収器。
【請求項２】
前記ボール回収部は、
前記操作棹の長手方向一方側の端部に嵌入された嵌合部と、
前記嵌合部から前記操作棹の長手方向一方側へ突出され、複数の線材によって構成された回収本体部と、
を有しており、
前記線材が、前記操作棹の径方向から見て、楕円球状に屈曲されており、
複数の前記線材が前記操作棹の周方向に間隔を空けて配置された状態で、前記線材の長手方向両端部が前記嵌合部に固定されていることを特徴とする請求項１に記載のボール回収器。
【請求項３】
前記嵌合部は、
前記線材の長手方向両端部を固定する芯部と、
前記芯部の外周部に設けられ、前記操作棹に着脱可能に嵌入された装着部と、
を含んで構成されていることを特徴とする請求項２に記載のボール回収器。
【請求項４】
前記装着部は、弾性体によって構成されており、
前記装着部は、前記操作棹の内周面に係合する係合フィンを有していることを特徴とする請求項３に記載のボール回収器。
【請求項５】
前記線材は、耐腐食性を有することを特徴とする請求項２から４のいずれか１項に記載のボール回収器。
【請求項６】
前記操作棹は、複数の長尺筒状に形成された棒状部材からなり、伸縮自在に構成されていることを特徴とする請求項１から４のいずれか１項に記載のボール回収器。
【発明の詳細な説明】
【技術分野】
【０００１】
本発明は、ボール回収器に関し、特に、ゴルフボールの回収に好適なボール回収器に関する。
【背景技術】
【０００２】
ゴルフ場で、ゴルフのプレイを行う場合、ゴルフ場に配置されたハザード、特に、池にショットしたゴルフボールが水没することがある。
このような場合、ゴルフボールが視認できるときには、水没したゴルフボールを回収したいと思うのが、ゴルファーの心理である。
【０００３】
このような場合のゴルフボールを回収する方法としては、例えば、手近なゴルフクラブを用いる方法がある。
しかし、池の中のボールは転がりやすく容易に回収できない場合が多い。また、網で回収する場合でも、池の底面がでこぼこしている等の状況では、ゴルフボールがなかなか網の中に入らず、網ですくう際ゴルフボールが転がりうまく回収できない場合も多い。
【０００４】
上記のような状況に対応すべく、剛性材からなる短円筒形の口枠であって、その内径がゴルフボールの弾性によって、該ゴルフボールが填り保持されるべく該ゴルフボールの外径より僅かに小さくされた口枠と、当該口枠に一体的に連結された支持部材と、前記口枠と前記支持部材とからなる保持部に連結部と、当該連結部に回動自在にして取り付けられ、ゴルフクラブのグリップの先端の小孔に挿入される所定の長さの支持軸ピンと、を設ける構造をなすゴルフボール拾い具が提案されている（例えば、特許文献１参照。）。
【先行技術文献】
【特許文献】
【０００５】
【特許文献１】特開２００７−６８９３４号公報
【発明の概要】
【発明が解決しようとする課題】
【０００６】
しかしながら、特許文献１に記載のゴルフボール拾い具では、池の底面のゴルフボールに対して、それなりの力を加える必要がある。そのため、池の底が柔らかい泥である場合には、さらに泥の中に埋まってしまう虞があった。
また、それなりの力を加える必要があるため、ゴルフボールが予期せぬ方向に動いてしまい、ゴルフボールを上手く回収できない可能性が高い。
さらに、それなりの力を加えた結果、ゴルフボールを確保できなかった場合には、口枠内に泥が侵入し、引き続き使用した場合には、ゴルフボールの回収性能が落ちてしまうという問題もあった。
【０００７】
そこで、本発明は、上述の課題に鑑みてなされたものであり、弱い力でもゴルフボールを確保でき、ボール回収部をゆする等により、泥等の異物を除去できるボール回収器を提供することを目的とする。
【課題を解決するための手段】
【０００８】
形態１；本発明の１またはそれ以上の実施形態は、操作棹と、前記操作棹の長手方向一方側の端部に嵌入され、前記操作棹に嵌入される部分が狭窄された雫状に形成されると共に、弾性変形可能に構成され、且つゴルフボールを内部に挿入させるための挿入部を有するボール回収部と、を備えたボール回収器を提案している。
【０００９】
形態２；本発明の１またはそれ以上の実施形態は、前記ボール回収部は、前記操作棹の長手方向一方側の端部に嵌入された嵌合部と、前記嵌合部から前記操作棹の長手方向一方側へ突出され、複数の線材によって構成された回収本体部と、を有しており、前記線材が、前記操作棹の径方向から見て、楕円球状に屈曲されており、複数の前記線材が前記操作棹の周方向に間隔を空けて配置された状態で、前記線材の長手方向両端部が前記嵌合部に固定されているボール回収器を提案している。
【００１０】
形態３；本発明の１またはそれ以上の実施形態は、前記嵌合部は、前記線材の長手方向両端部を固定する芯部と、前記芯部の外周部に設けられ、前記操作棹に着脱可能に嵌入された装着部と、を含んで構成されているボール回収器を提案している。
【００１１】
形態４；本発明の１またはそれ以上の実施形態は、前記装着部は、弾性体によって構成されており、前記装着部は、前記操作棹の内周面に係合する係合フィンを有しているボール回収器を提案している。
【００１２】
形態５；本発明の１またはそれ以上の実施形態は、前記線材は、耐腐食性を有するボール回収器を提案している。
【００１３】
形態６；本発明の１またはそれ以上の実施形態は、前記操作棹は、複数の長尺筒状に形成された棒状部材からなり、伸縮自在に構成されているボール回収器を提案している。
【発明の効果】
【００１４】
本発明の１またはそれ以上の実施形態によれば、弱い力でもゴルフボールを確保でき、ボール回収部をゆすることにより、泥等の異物を除去できるという効果がある。
【図面の簡単な説明】
【００１５】
【図１】本発明の実施形態に係るボール回収器の全体構成を示す図である。
【図２】本発明の実施形態に係るボール回収器における装着部を操作棹の長手方向に切った断面図である。
【図３】本発明の実施形態に係るボール回収器における操作棹を径方向に切った断面図である。
【図４】図３におけるボール回収器の操作棹のＡ−Ａ´方向の断面図である。
【図５】図２における弾性体の展開図である。
【図６】図１におけるボール回収器の操作棹を伸ばした状態を示す図である。
【図７】本発明の実施形態に係るボール回収器により、ゴルフボールを回収する様子を示した図である。
【図８】本発明の実施形態に係るボール回収器により、ゴルフボールを回収する様子を示した図である。
【図９】本発明の実施形態に係るボール回収器により、ゴルフボールを回収する様子を示した図である。
【発明を実施するための形態】
【００１６】
以下、本発明の実施形態について、図１から図９を用いて説明する。
【００１７】
＜実施形態＞
以下では、理解を容易にするために、ボールの具体例として、ゴルフボールを例示して本実施形態に係るボール回収器１について説明するが、これに限定されるものではない。
【００１８】
＜ボール回収器の全体構成＞
本実施形態に係るボール回収器１は、図１に示すように、操作棹１０と、ボール回収部２０と、を含んで構成されている。
【００１９】
操作棹１０は、図１に示すように、ボール回収部２０と着脱自在に連結されている。
また、操作棹１０は、図３に示すように、複数の長尺筒状に形成された棒状部材１１、１２からなり、伸縮自在に構成されている。
なお、棒状部材１１、１２は、加工容易で、剛性のある金属や樹脂が好ましい。
また、棒状部材１１、１２の形状は、円筒状であってもよいし、角筒状であってもよい。
【００２０】
図３に示すように、棒状部材１１には、円周方向内側に棒状部材１１の長手方向に向かう直線状の凹部が円周状に複数形成されている。
また、棒状部材１１には、図１および図３に示すように、円形の開口部１１Ａが棒状部材１１の長手方向に向かって複数設けられている。
なお、直線状の凹部は、その断面が、円弧状であってもよいし、矩形あるいは三角であってもよい。
また、直線状の凹部は、連続した直線でもよいし、不連続な直線でもよい。但し、直線状の凹部が、不連続な直線の場合には、後述する直線状の凸部は、連続した直線であることが望ましい。
さらに、開口部１１Ａの形状は円形であってもよいし、角形であっても、楕円形であってもよい。
【００２１】
棒状部材１２には、棒状部材１１に形成された直線状の凹部に対して、円周方向内側に棒状部材１２の長手方向に向かう直線状の凸部が円周状に複数形成されている。
なお、直線状の凸部は、その断面が、円弧状であってもよいし、矩形あるいは三角であってもよい。
また、直線状の凸部は、連続した直線でもよいし、不連続な直線でもよい。但し、直線状の凹部が、不連続な直線の場合には、前述した直線状の凹部は、連続した直線であることが望ましい。
また、棒状部材１２には、図３に示すように、棒状部材１１を棒状部材１２に対して、スライドさせた場合に、棒状部材１１に形成された開口部１１Ａに当接する当接部材１２Ａが形成されている。
【００２２】
当接部材１２Ａは、図４に示すように、例えば、への字型に屈曲された板バネで構成されている。
この板バネは、図４に示すように、当該板バネを配置するために形成された棒状部材１２の凹部に設けられており、板バネの一端が、例えば、棒状部材１２の凹部に溶接等により固定されている。
【００２３】
ボール回収部２０は、操作棹１０の長手方向一方側の端部１０Ａに嵌入され、操作棹１０に嵌入される部分が狭窄された雫状に形成されている。
また、ボール回収部２０は、弾性変形可能に構成され、且つゴルフボールを内部に挿入させるための挿入部を有している。
【００２４】
＜ボール回収部の構成＞
ボール回収部２０は、操作棹１０の長手方向一方側の端部１０Ａに嵌入された嵌合部２１と、嵌合部２１から操作棹１０の長手方向一方側の端部１０Ａへ突出され、複数の線材２２Ａによって構成された回収本体部２２と、を含んで構成されている。
【００２５】
線材２２Ａは、操作棹１０の径方向から見て、楕円球状に屈曲されている。
なお、線材２２Ａの屈曲形状は、円形状であってもよい。
また、複数の線材２２Ａは、操作棹１０の周方向に間隔を空けて配置された状態で、線材２２Ａの長手方向両端部が嵌合部２１に固定されている。
なお、当該間隔は、例えば、ゴルフボールの直径よりも短く設定されている。
また、線材２２Ａは、耐腐食性を有することが好ましい。
具体的には、ステンレスや弾性を有する樹脂等を例示することができる。
【００２６】
嵌合部２１は、図２に示すように、線材２２Ａの長手方向両端部を固定する芯部２１Ａと、芯部２１Ａの外周部に設けられ、操作棹１０に着脱可能に嵌入された装着部２１Ｂと、を含んで構成されている。
【００２７】
装着部２１Ｂは、弾性体によって構成されている。なお、弾性体としては、例えば、ゴムを例示することができる。
また、装着部２１Ｂは、図２に示すように、操作棹１０の内周面に係合する係合フィンを有している。
図５は、図２に示す弾性体の展開図であるが、弾性体は、図５に示すように、操作棹１０側から嵌合部２１に向かって、斜め直線方向に凸部を形成することにより、図２に示すような係合フィンを形成している。
【００２８】
＜本実施形態の作用・効果＞
本実施形態に係るボール回収部２０は、線材２２Ａは、操作棹１０の径方向から見て、楕円球状に屈曲されることにより、楕円球状をなしている。
また、複数の線材２２Ａは、操作棹１０の周方向に間隔を空けて配置された状態で、線材２２Ａの長手方向両端部が嵌合部２１に固定されている。
しかも、複数の線材２２Ａの間隔は、例えば、ゴルフボールの直径よりも短く設定されており、複数の線材２２Ａは弾性を有している。
【００２９】
そのため、本実施形態に係るボール回収器１を用いて、例えば、ゴルフボールを回収する場合には、図７に示すように、池底に水没したゴルフボール３０に対して、本実施形態に係るボール回収器１を上方からゴルフボール３０に近づける。
そして、図８に示すように、本実施形態に係るボール回収器１のボール回収部２０をゴルフボール３０に接触させた後、適度な力をボール回収部２０からゴルフボール３０に加えることにより、ゴルフボール３０に当接した線材２２Ａが加えられた力に応じて、隣接する線材２２Ａとの間隔を徐々に広げる。
そして、隣接する線材２２Ａの間隔がゴルフボール３０の直径に相当する長さに達すると、線材２２Ａが有する弾性力により、隣接する線材２２Ａの間隔が徐々に縮まることにより、池底に水没したゴルフボール３０がボール回収部２０の内部空間に押し出されるように回収される。
したがって、それほど強い力を加えなくとも池底に水没したゴルフボール３０を容易に回収することができる。
【００３０】
また、本実施形態に係るボール回収器１のボール回収部２０をゴルフボール３０に接触させた後、適度な力をボール回収部２０からゴルフボール３０に加えることにより、ゴルフボール３０が線材２２Ａの弾性力によって保持されるため、ゴルフボール３０が違う場所に転がる可能性を軽減することができる。
【００３１】
また、池底に水没したゴルフボール３０が違う場所に転がり、本実施形態に係るボール回収器１のボール回収部２０が池底に埋没したとしても、ボール回収部２０は、複数の線材２２Ａからなり、この複数の線材２２Ａは、操作棹１０の周方向に間隔を空けて配置されているため、池底の泥等が大量にボール回収部２０の内部空間に留まることがない。
そのため、池底に水没したゴルフボール３０が違う場所に転がった場合でも、ボール回収部２０の内部空間を清掃することなく、引き続き、ゴルフボール３０の回収作業を実施することができる。
【００３２】
また、本実施形態に係るボール回収部２０は、嵌合部２１を備え、嵌合部２１は、線材２２Ａの長手方向両端部を固定する芯部２１Ａと、芯部２１Ａの外周部に設けられ、操作棹１０に着脱可能に嵌入された装着部２１Ｂと、を含んで構成されている。
さらに、装着部２１Ｂは、弾性体によって構成されており、装着部２１Ｂは、操作棹１０の内周面に係合する係合フィンを有している。
また、この弾性体は、操作棹１０側から嵌合部２１に向かって、斜め直線方向に凸部を形成することにより、係合フィンを形成している。
【００３３】
つまり、操作棹１０は、嵌合部２１に向かって、斜め直線方向に凸部を形成する係合フィンを押し倒すように、嵌合部２１と嵌合している。そのため、嵌合部２１から操作棹１０を引き抜く方向には大きな反力が働くため、簡単に、操作棹１０が嵌合部２１から離脱することがない。
【００３４】
また、係合フィンを形成する弾性体は、操作棹１０側から嵌合部２１に向かって、斜め直線方向に凸部を形成している。そのため、操作棹１０が嵌合部２１に対して、簡単に、回転することがない。
【００３５】
そのため、本実施形態に係るボール回収器１を用いて、池底に水没するゴルフボール３０に対して、適度な力を加えることにより回収する作業において、容易に、操作棹１０が嵌合部２１から離脱することがない。
【００３６】
また、操作棹１０が嵌合部２１に対して、簡単に、回転することがないため、池底に水没するゴルフボール３０の回収作業において、本実施形態に係るボール回収部２０の回転により、ゴルフボール３０が違う場所に転がる可能性を軽減することができる。
【００３７】
さらに、ある程度の力によれば、操作棹１０を嵌合部２１から離脱することも可能であることから、本実施形態に係るボール回収部２０をボール回収器１から離脱させ、例えば、パターグリップの上部に挿入配置すれば、カップインしたゴルフボール３０の回収器としても利用可能である。
【００３８】
なお、線材２２Ａは、耐腐食性、例えば、防錆性を有している。そのため、複数回の使用によって、強度の低下等を極力抑えることができる。
【００３９】
また、操作棹１０は、複数の長尺筒状に形成された棒状部材１１、１２からなっており、棒状部材１１には、円周方向内側に棒状部材１１の長手方向に向かう直線状の凹部が円周状に複数形成され、棒状部材１２には、棒状部材１１に形成された直線状の凹部に対して、円周方向内側に棒状部材１２の長手方向に向かう直線状の凸部が円周状に複数形成されている。
【００４０】
つまり、棒状部材１１の直線状の凹部と、棒状部材１２の直線状の凸部と、が当接するよう構成されている。
そのため、操作棹１０を伸縮させる場合において、操作棹１０が回転することがない。
したがって、池底に水没するゴルフボール３０の回収作業において、本実施形態に係るボール回収部２０の回転により、ゴルフボール３０が違う場所に転がる可能性を軽減することができる。
【００４１】
また、図４に示すように、例えば、板ばねで構成された当接部材１２Ａは、操作棹１０を伸縮させる場合において、棒状部材１１の開口部１１Ａ以外の部分では、棒状部材１１の内壁により押し下げられて、棒状部材１１の内壁を移動し、棒状部材１１の開口部１１Ａでは、突出して、移動を規制する。
一方、当接部材１２Ａは、棒状部材１１の開口部１１Ａにおいて、突出した状態から適度な力で棒状部材１１が進退して移動すると、再び、棒状部材１１の内壁に潜り込み移動する。
【００４２】
そのため、棒状部材１１の開口部１１Ａを適度な間隔で設けておけば、操作棹１０を所望の長さで固定することができる。
したがって、例えば、池底に水没するゴルフボール３０の回収作業においては、水没地点の距離に応じた長さに固定して使用し、例えば、ラウンド前に自宅から持参したり、ラウンド終了後には、最短の長さに縮めて、持ち運び自在に使用することができる。
【００４３】
また、回収本体部２２は、着脱可能に構成されているため、回収本体部２２のみを交換することもできる。
なお、線材２２Ａを１本ごと取り換え自在に構成してもよい。
【００４４】
以上、この発明の実施形態につき、図面を参照して詳述してきたが、具体的な構成はこの実施形態あるいは実施例に限られるものではなく、この発明の要旨を逸脱しない範囲の設計等も含まれる。
【符号の説明】
【００４５】
１；ボール回収器
１０；操作棹
１１；棒状部材
１１Ａ；開口部
１２；棒状部材
１２Ａ；当接部材
２０；ボール回収部
２１；嵌合部
２１Ａ；芯部
２１Ｂ；装着部
２２；回収本体部
２２Ａ；線材
３０；ゴルフボール
【図１】
2019195396.tif 000003
【図２】
2019195396.tif 000004
【図３】
2019195396.tif 000005
【図４】
2019195396.tif 000006
【図５】
2019195396.tif 000007
【図６】
2019195396.tif 000008
【図７】
2019195396.tif 000009
【図８】
2019195396.tif 000010
【図９】
2019195396.tif 000011